(57)【要約】      （修正有）【課題】服薬の衛生を保ちつつ服薬の便宜を図ると同時に安全性を高めるべく、服薬用スポイトの構造を提供する。【解決手段】ノズル部１１、管部１２、ポンプ部１３、よりスポイト１０を構成し、充填液２０を該スポイト１０内に注入した後、該ノズル部１１先端にアルミ箔１４を貼設する、或いは熱により密封した後切れ込み１５を入れる、若しくは螺旋の設けられた蓋をする、栓をする、等の方式により該スポイト１０を密封し、使用の際は、これら密封手段を除去して該ポンプ部１３を指で押す。【選択図】図２
0003113430.tif 000002
【実用新案登録請求の範囲】
【請求項１】
ノズル部、管部、ポンプ部より構成されるスポイトの構造において、
服用しやすいようノズル部先端の口径を小さく形成すると共に、該管部と該ノズル部とを延伸部で接続してなり、
充填液を収容する該管部と、
略球状を呈しており、且つ該管部後部に設けられ、指で押し易いよう壁厚が該管部よりも薄い該ポンプ部と、
を具有し、該ノズル部と管部とポンプ部とは一体成型され、且つ適量の充填液が充填された後、密封されることを特徴とする服薬用スポイトの構造。
【請求項２】
該スポイト内に充填液を注入する該ノズル部の先端にはアルミ箔が貼設されて、該スポイトが密閉されることを特徴とする請求項１記載の服薬用スポイトの構造。
【請求項３】
該スポイト内に充填液を注入する該ノズル部は先端が熱により封じられ、該スポイトが密閉されることを特徴とする請求項１記載の服薬用スポイトの構造。
【請求項４】
該スポイト内に充填液を注入する該ノズル部先端には螺旋を設け、内側に螺旋を具有する蓋を該ノズル部先端に螺設し、該スポイトを密閉することを特徴とする請求項１記載の服薬用スポイトの構造。
【請求項５】
該スポイト内に充填液を注入する該ノズル部は略凸型を呈した栓により、該ノズル部の先端を封じ、該スポイトを密閉することを特徴とする請求項１記載の服薬用スポイトの構造。
【考案の詳細な説明】
【技術分野】
【０００１】
本考案は服薬用スポイトの構造に係り、特に赤ん坊や老人が少量の薬を服用するために薬が充填される使い捨てタイプの服薬用スポイトの構造に関わる。
【背景技術】
【０００２】
人は病気にかかると液体の薬を服用することがしばしばあるが、こういった液状の薬は通常コップ等に注いでからそれを服用しており、特にその量が僅かである場合は薬の量を把握しにくく、またこぼし易いことなどが言える。また赤ん坊や幼児、体が自由に動かせない者にとっては、服用を拒んだりコップ等では飲みにくい状況がしばしば見受けられる。
上述のような不便さを克服すべく、公知技術では図１に示すようなスポイト１０´等があり、該スポイト１０のノズル部１１´を薬の容器に挿入して薬を内部に吸引して容器内に薬を保持し、服用に使用する。
【特許文献１】特許第３５６６７２４号
【特許文献２】特許第３６５４１１７号
【考案の開示】
【考案が解決しようとする課題】
【０００３】
しかし公知のスポイトでは、使用後に洗って清潔に保たねばならず、衛生面で安心できないこと、また目盛が刻まれてはいるが、服用の度に毎回目視で確認しなければならず、服薬量の安全性が懸念される。薬を容器から小分けに使用する場合には、一旦開けた容器に残ってしまった薬は変質する恐れがあるため長期保存ができず無駄が生じること、外出の際に薬の容器を持ち歩くのは不便であること、等の不都合がある。更に恐ろしいのは、こういった多数の薬の容器を医療現場において使用する際、同じ冷蔵庫等に入れて保管するが、多くの薬のスポイト中から誤ったスポイトの薬を患者に与えてしまい、取り返しのつかない結果になってしまった事例さえある。
これらの欠点に鑑み、服薬の衛生を保ちつつ服薬の便宜を図ると同時に安全性を高めるべく、本考案の服薬用スポイトの構造を提供する。
【課題を解決するための手段】
【０００４】
ノズル部、管部、ポンプ部、よりスポイトを構成し、該ノズル部と該管部との間を接続する延伸部を設け、充填液を該ノズル部よりスポイト内に注入した後、該ノズル部先端にアルミ箔を貼設して封止する、或いは熱により密封した後切れ込みを入れる、若しくは螺旋の設けられた蓋をする、栓をする、等の方式により該スポイトを密封し、使用の際は、これら密封手段を除去した後、該管部後部に設けられる壁厚が薄く球状の該ポンプ部を使用者が指で押すことにより、該充填液を押し出すことで服用し、服用後は廃棄処分する。
【考案の効果】
【０００５】
本考案によると、一度の服用が終わると廃棄できる使い捨てタイプのスポイトが提供され、安全で服用を便利にする目的が達成される。
【考案を実施するための最良の形態】
【０００６】
図２に示すように、本考案のスポイト１０は、ノズル部１１、先端１１０１、充填液２０を収容する管部１２、並びに該先端１１０１と該管部１２を接続する延伸部１１０２を含む。またポンプ部１３が別に設けられるが、該ポンプ部１３は略球状を呈しており、その壁厚１３０１は該管部１２よりも薄いものとなっている。該ノズル部１１、管部１２及びポンプ部１３は一体成型され、該スポイト１０内に適量の充填液２０を充填し、該ポンプ部１３には空気を残しておいて、該ノズル部１１を封じる。
【０００７】
図３に示すように、本考案の第一実施例では、該スポイト１０のノズル部１１から管部１２内に充填液２０が注入されると、該ノズル部１１の先端１１０１にはアルミ箔１４が貼設されて封止されるが、このとき該アルミ箔１４には剥がすときに便利なよう、耳を設けておいてもよい。こうして該先端１１０１が封じられても、使用時に該アルミ箔１４を剥がすだけで該ノズル部１１の先端１１０１が開く。また大気圧により該アルミ箔１４を剥がしても該充填液２０が容器内に保持された状態にあるから、使用者が該ポンプ部１３を指で押すと、壁厚１３０１が薄いため圧力を受けて暫時へこみ、該充填液２０が流れ出て来る。指で押す力を調整することで、例えば薬等である該充填液２０の流れ出る量が変わり、全部流出し切ったら廃棄処分する。
【０００８】
図５に示すように、本考案の第二実施例では、該スポイト１０のノズル部１１から管部１２内に適量の該充填液２０を注入し、更に図６に示すように、該ノズル部１１を熱によって栓１１０３で封じ、また、該ノズル部１１の先端１１０１上に切れ込み１５を入れておく。該切れ込み１５とは浅すぎず、且つスポイト１０の内壁を傷つけない程度の深さとし、こうすることで、使用時に該ノズル部１１の切れ込み１５の個所を折り、該ノズル部１の延伸部１１０２に開口を形成する。上述同様に、大気圧により、該スポイト１０内の充填液２０は保持された状態を保ち、使用者が指により該ポンプ部１３を押すことにより、該充填液２０が流出し、この圧力の大小を利用して薬等である該充填液２０の流出量を調整し、該充填液２０が全て流出し切ったら廃棄処分する。
【０００９】
図７に示すように、本考案の第三実施例では、該ノズル部１１外に外側螺旋１１０４を設け、該スポイト１０のノズル部１１から管部１２内に適量の該充填液２０を注入するが、図８に示すように、該ノズル部１１外側螺旋１１０４に対応して設けられた内側螺旋１１０４を具有する蓋１６を設け、該蓋１６を該ノズル部１１に螺設することで該ノズル部１１を封じる。使用時には該ノズル部１１の蓋１６を開けることで該ノズル部１１の先端１１０１に開口が現れる。上述同様、このとき大気圧により該充填液２０が容器内に保持された状態を保つから、使用者が指により該ポンプ部１３を押すことで該充填液が流出し、且つ指で押す圧力の大小により該充填液２０の流出量を調整し、最後まで出きったら廃棄処分する。
【００１０】
図９に示すように、本考案の第四実施例では、該スポイト１０のノズル部１１から管部１２内に適当な量の該充填液２０注入し、更に図１０に示すように、別に設けた略凸の字型を呈した栓１７を用い、該凸の字型の部位を該先端１１０１に挿入して封じる。使用時には該栓１７を抜き、該先端１１０１が開口し、上述同様このときは大気圧の関係で該充填液２０が流出せず、使用者が指で該ポンプ部１３を押すことにより該充填液２０が流出し、全て使い切ったら廃棄処分する。
【図面の簡単な説明】
【００１１】
【図１】公知におけるスポイトの立体図である。
【図２】本考案における実施例を示す立体図である。
【図３】本考案における第一実施例の断面構造図であり、充填液を注入した様子を示す図である。
【図４】本考案における第二実施例の断面構造図であり、充填液を注入した様子を示す図である。
【図５】本考案の第二実施例の断面構造図であり、充填液を注入した様子を示す図である。
【図６】本考案の第二実施例の断面構造図であり、使用法を説明する図である。
【図７】本考案の第三実施例の断面構造図であり、充填液を注入した様子を示す図である。
【図８】本考案の第三実施例の断面構造図であり、使用法を説明する図である。
【図９】本考案の第四実施例の断面構造図であり、充填液を注入した様子を示す図である。
【図１０】本考案の第四実施例の断面構造図であり、使用法を説明する図である。
【符号の説明】
【００１２】
１０、１０´  スポイト
１１、１１´  ノズル部
１１０１  先端
１１０２  延伸部
１１０３  栓
１１０４  外側螺旋
１２  管部
１２１，１２１´  目盛
１３  ポンプ部
１３０１  壁厚
１４  アルミ箔
１５  切れ込み
１６  蓋
１６０１  内側の螺旋
１７  栓
２０  充填液
【図１】
0003113430.tif 000003
【図２】
0003113430.tif 000004
【図３】
0003113430.tif 000005
【図４】
0003113430.tif 000006
【図５】
0003113430.tif 000007
【図６】
0003113430.tif 000008
【図７】
0003113430.tif 000009
【図８】
0003113430.tif 000010
【図９】
0003113430.tif 000011
【図１０】
0003113430.tif 000012